(57)【要約】【課題】  従来の通気孔付きヘルメットは、重量があり、構造が複雑で製造に手間とコストがかかったり、また、通気性が必ずしも良いとは言えなかった。【解決手段】  ヘルメットの前面の一部に、ヘルメットの前方から後方に窪んだ凹部を一又は二以上形成し、それら凹部内の外側面と内側面の一方又は双方に通気孔を一又は二以上開口した。ヘルメットの前面の一部に、ヘルメットの前方から後方に窪んだ凹部を一又は二以上形成し、それら凹部内の外側面と内側面の一方又は双方に側面に開口する通気孔を一又は二以上開口した。また、凹部をヘルメットの前面の両側面寄りの部分に形成した。また、凹部をヘルメットの前面に縦一列又は縦二列以上に配列して形成した。また、通気孔が円形の場合はその直径が６ｍｍ以下、角形の場合はその面積が３０ｍｍ2以下とし、一側面寄りの通気孔の合計面積が２２５ｍｍ2以下で、且つ両側面寄りの合計面積が４５０ｍｍ2以下とした。【選択図】図１
2005248364.tif 000002
【特許請求の範囲】
【請求項１】
ヘルメットの前面の一部に、ヘルメットの前方から後方に窪んだ凹部が一又は二以上形成され、それら凹部内の外側面と内側面の一方又は双方に通気孔が開口されたことを特徴とする通気孔付きヘルメット。
【請求項２】
ヘルメットの前面の一部に、ヘルメットの前方から後方に窪んだ凹部が一又は二以上形成され、それら凹部内の外側面と内側面の一方又は双方に、ヘルメットの側面方向に開口する通気孔が開口されたことを特徴とする通気孔付きヘルメット。
【請求項３】
請求項１又は請求項２記載の通気孔付きヘルメットにおいて、凹部がヘルメットの前面の両側面寄りの部分に形成されたことを特徴とする通気孔付きヘルメット。
【請求項４】
請求項１乃至請求項３のいずれかに記載の通気孔付きヘルメットにおいて、凹部がヘルメットの前面に縦一列又は縦二列以上に配列されて形成されたことを特徴とする通気孔付きヘルメット。
【請求項５】
請求項１乃至請求項４のいずれかに記載の通気孔付きヘルメットにおいて、通気孔が円形の場合はその直径が６ｍｍ以下、角形の場合はその面積が３０ｍｍ2以下であることを特徴とする通気孔付きヘルメット。
【請求項６】
請求項１乃至請求項５のいずれかに記載の通気孔付きヘルメットにおいて、通気孔がヘルメットの両側面寄りに二以上ある場合は、一側面寄りの通気孔の合計面積が２２５ｍｍ2以下で、且つ両側面寄りの通気孔の合計面積が４５０ｍｍ2以下であることを特徴とする通気孔付きヘルメット。
【請求項７】
請求項６記載の通気孔付きヘルメットにおいて、ヘルメットの側面にも通気孔が開口され、ヘルメット全体の通気孔の合計面積が４５０ｍｍ2以下であることを特徴とする通気孔付きヘルメット。
【発明の詳細な説明】
【技術分野】
【０００１】
本発明は、ヘルメット内に空気を取入れ可能な通気孔付きのヘルメットに関するものである。
【背景技術】
【０００２】
従来、例えば土木工事、建築工事等の各種工事現場で作業者が着用する樹脂製のヘルメットには通気孔が開いていないため、頭部が着用したヘルメットで密閉されてしまい、ヘルメット内が高温多湿になって頭が蒸れて作業者に不快感を与えていた。そこで、内部の温度及び湿度の上昇を防いで作業者に与える不快感を軽減するべく、従来より、ヘルメットに通気孔を開ける試みが行われている。
【０００３】
しかし、ヘルメットに通気孔を開けるには、平成３年に社団法人産業安全技術協会から出された、保護帽（ヘルメット）検定における通気孔の指針に沿ったものとする必要がある。保護帽検定における通気孔の指針によると、ヘルメットに通気孔をあける場合は、次のようにすることが望ましいとされている。
（１）保護帽は、その帽体に通気孔を設けることによって性能が低下しないよう十分に考慮されたものであること。
（２）通気孔の位置は、帽体の左右側面であること。
（３）通気孔は、その直径が６ｍｍ以下又は一個の面積が３０ｍｍ2以下とし、一側面での穴の合計面積は２２５ｍｍ2以下、両側面での合計面積は４５０ｍｍ2以下であること。なお、これらの穴は近接して設けないこと。
（４）通気孔部を防護し又は補強できる雨除け構造等が設けられている場合は、前項の通気孔の直径及び一個の面積に係る項目は適用されないものとする。
【０００４】
そこで、この指針に基づいて、従来、図５に示すヘルメットや、図６及び図７に示すような二重構造のヘルメット等、様々な通気孔付きのヘルメットが開発されている（特許文献１参照）。
【０００５】
図５に示す通気孔付きヘルメットは、ヘルメットＡの右側側部―後頭部―左側側部の樹脂を、ヘルメットＡの外側方向に隆起するように変形させて形成した側部帯Ｂの両端面Ｃに、縦長の通気孔Ｄを左右に三つずつ開口し、通気孔ＤよりヘルメットＡ内に空気を取入れ可能としたものである。
【０００６】
前記二重構造の通気孔付きヘルメットは、図６（ａ）に示すように、ヘルメット主部材Ｅと、該ヘルメット主部材Ｅの前部から頭頂後部にわたって被設されるヘルメットカバー部Ｆとからなる。前記ヘルメットカバー部材Ｆは、ヘルメット主部材Ｅに上から被せるようにして一体に備えられている。図６（ａ）（ｂ）及び図７（ａ）〜（ｃ）に示すように、この通気孔付きヘルメットは、ヘルメットカバー部材Ｆの前縁部に形成された開口部Ｇ2とヘルメット主部材Ｅの前縁部に形成された開口部Ｇ1とによって前方開口部Ｇを形成し、ヘルメットカバー部材Ｆの後縁部に形成された開口部Ｈ2とヘルメット主部材Ｅの後縁部に形成された開口部Ｈ1とによって後方開口部Ｈを形成し、ヘルメットカバー部材Ｆの前頭頂部に形成された開口部Ｉ2とヘルメット主部材Ｅの前頭頂部に形成された開口部Ｉ1とによって前頭頂開口部Ｉを形成している。このヘルメットは、前方開口部Ｇと後方開口部Ｈと前頭頂開口部Ｉとを用いて空気を取入れ、又は排出することにより、ヘルメット内部の温度及び湿度の上昇を防いでいる（特許文献１参照）。
【０００７】
【特許文献１】特開２００１−３２２０号公報。
【発明の開示】
【発明が解決しようとする課題】
【０００８】
しかし、前記図５に示す従来の通気孔付きヘルメットには次のような課題がある。
（１）側部帯Ｂの両端面Ｃに、縦長の通気孔Ｄを左右三つずつ開口したものでは、側頭部からしか空気を取入れられないため、前頭部や頭頂部にまで空気を取入れることができず、通気性が良いとは言えない。
【０００９】
図６、図７に示す従来の通気孔付きヘルメットには、次のような課題がある。
（１）ヘルメット主部材Ｅとヘルメットカバー部材Ｆとを組み合わせる際に、ヘルメット主部材Ｅに開口された各開口部（Ｇ1、Ｈ1、Ｉ1）とヘルメットカバー部Ｂに開口された各開口部（Ｇ2、Ｈ2、Ｉ2）とが、夫々適合するように組み合わせて形成する必要があるため、構造が複雑となり、製造に手間がかかり、コスト高にもなっている。
（２）ヘルメット主部材Ｅとヘルメットカバー部材Ｆとを組み合わせた二重構造とされているため、その分部品が多く、ヘルメット全体として重くなり、作業性の低下にも繋がる。
（３）ヘルメット主部材Ｅとヘルメットカバー部材Ｆとを組み合わせた二重構造であるため、いちいちヘルメットカバー部Ｆを通過させてから空気をヘルメット内部に取入れなければならず、通気性が良いとは言えない。
【課題を解決するための手段】
【００１０】
本発明は、上記課題を解決し、通気性が良く、軽量で、簡易且つ安価に製造可能であって、保護帽検定における通気孔の指針に沿った通気孔付きヘルメットを提供するものである。
【００１１】
本件出願の通気孔付きヘルメットは、ヘルメットの前面の一部に、ヘルメットの前方から後方に窪んだ凹部が一又は二以上形成され、それら凹部内の外側面と内側面の一方又は双方に通気孔が開口されている。この場合、通気孔はヘルメットの側面方向に開口させてある。また、前記凹部をヘルメットの前面の両側面寄りの部分に形成してある。凹部はヘルメットの前面に縦一列又は縦二列以上に配列して形成することもできる。通気孔が円形の場合はその直径が６ｍｍ以下、角形の場合はその面積が３０ｍｍ2以下として前記指針に適合させてある。また、通気孔がヘルメットの両側面寄りに二以上ある場合は、一側面寄りの通気孔の合計面積を２２５ｍｍ2以下で且つ両側面寄りの通気孔の合計面積を４５０ｍｍ2以下としてある。ヘルメットの側面にも通気孔が開口され、ヘルメット全体の通気孔の合計面積が４５０ｍｍ2以下としてある。
【発明の効果】
【００１２】
本件出願の通気孔付きヘルメットは、ヘルメットの前面の一部に、ヘルメットの前方から後方に窪んだ凹部が一又は二以上形成され、それら凹部内の外側面と内側面の一方又は双方に通気孔が開口されているので、次のような効果がある。
（１）ヘルメットの前面からヘルメット内部に直接空気を取入れることができ、ヘルメット内部の空気の循環がよくなり、ヘルメット内の温度及び湿度の上昇を防止でき、作業者が感じる不快感が軽減する。
（２）構造が簡潔であるので、製造が容易であり、コストの低減にも資する。また、二重構造にする必要もないため軽量であり、使い易い。
【００１３】
（３）本件出願の通気孔付きヘルメットは、通気孔がヘルメットの前面に形成した凹部から真っ直ぐヘルメット内に開口するのではなく、ヘルメットの前面に形成した凹部の外側面と内側面の一方又は双方から、ヘルメットの側面方向に開口しているので、前記保護帽検定における通気孔の指針にも適合する。
【００１４】
（４）本件出願の通気孔付きヘルメットは、凹部がヘルメットの前面の両側面寄りの部分に形成されているので、通気孔が片側だけに形成されている場合よりも、空気取り入れ量が多くなり、しかも、取り入れた空気がヘルメット内全般にいきわたり易くなり、ヘルメット内の通気性が良くなる。
【００１５】
（５）本件出願の通気孔付きヘルメットは、凹部がヘルメットの前面に縦方向に二列以上形成されているので、空気の取入れ孔を多数確保して、ヘルメットの前面からより多くの空気を取入れることができる。また、二列の通気孔のうち、一方の列の通気孔が空気取り入れ口として、他方の通気孔が空気排気孔として機能する場合もあり、ヘルメット内の空気の循環が促進されてより通気性が良くなる。
【００１６】
（６）本件出願の通気孔付きヘルメットは、通気孔が円形の場合はその直径が６ｍｍ以下、角形の場合はその面積が３０ｍｍ2以下としたので、前記保護帽検定の通気孔の指針にも適合する。
（７）一側面に二以上の通気孔が形成された場合でも、一側面寄りの通気孔の合計面積が２２５ｍｍ2以下で、且つ両側面寄りの合計面積が４５０ｍｍ2以下であるので、ヘルメット本体の衝撃吸収性能、耐貫通性能等が低下することなく、良好な通気性を確保することができる。また、前記保護帽検定の通気孔の指針にも適合する。
【００１７】
（８）ヘルメットの側面にも通気孔が開口され、ヘルメット全体の通気孔の合計面積が４５０ｍｍ2以下であるので、ヘルメットの側面の通気孔が排気孔として機能する場合もあり、ヘルメット内の空気の循環が促進されてより通気性が良くなる。また、前記保護帽検定の通気孔の指針にも適合する。
【発明を実施するための最良の形態】
【００１８】
（実施形態１）
本発明のヘルメットの通気孔付き実施形態の一例を、図面に基づいて詳細に説明する。
本発明の通気孔付きヘルメットは、図１に示すように、ヘルメット１の前面に複数個の凹部２を形成してなる。前記ヘルメット１は、樹脂製であって帽子型に形成されており、頭部を保護できる形状であれば、図１に示す形状には限られず、任意の形状とすることができる。
【００１９】
前記凹部２は、本実施形態では図２（ａ）〜（ｃ）に示すように、ヘルメット１の前面の両側面寄りの部分に二箇所ずつ、縦二列に配列されて、ヘルメットの前方から後方に向かって矩形に窪んだ形状に形成されている。本実施形態の凹部２は、ヘルメット１の前面から見て縦長の矩形の窪みが縦二列に配列されて形成されたように見えるようにしてある。凹部２の位置や、数や、形状等は、図に示すものには限られず、任意の位置や、数や、形状等とすることができる。また、同図に示すように、各凹部２内の内側面３には、通気孔４が夫々開口されている。
【００２０】
前記通気孔４は、本実施形態では図２（ａ）〜（ｃ）に示すように、各凹部２内の内側面３にスリット形に開口された孔である。通気孔４は、図に示す位置に限らず、凹部２内の後面以外の側面に開口するのであれば、任意の位置に開口することができる。側面に開口することとしたのは、保護帽検定における通気孔の指針に従い、ヘルメット１の前面をヘルメットの前後方向に貫通させないためである。従って、本発明の通気孔付きヘルメットは、通気孔４から、ヘルメット１の前頭部、頭頂部、側頭部を中心とした範囲に空気を取入れることができる。また、前記通気孔４の形状は、図に示すようなスリット形のものには限られず、任意の形状とすることができる。
【００２１】
また、本発明の通気孔付きヘルメットは、図１に示すように、ヘルメット１の前面以外の側面部分等にも、通気孔６を備えることができる。従って、前記通気孔４から取入れた空気を、該通気孔６から排気することも可能となり、ヘルメット内部の空気の循環効率が向上する。
【００２２】
また、前記通気孔４（６）は、通気孔４（６）が円形の場合はその直径が６ｍｍ以下、通気孔４（６）が角形の場合にはその面積が３０ｍｍ2以下で、一側面寄りの通気孔の合計面積が２２５ｍｍ2以下で、且つ両側面寄りの合計面積が４５０ｍｍ2以下となる範囲内で設けられている。
【００２３】
（実施形態２）
本発明の通気孔付きヘルメットの実施形態の他の一例を、図面に基づいて詳細に説明する。
図３に示すように、本発明の通気孔付きヘルメットも前記実施形態１と同様に、ヘルメット１の前面に複数個の凹部２を形成してなる。前記ヘルメット１も、樹脂製であって帽子型に形成されており、頭部を保護できる形状であれば、図３に示す形状には限られず、任意の形状とすることができる。
【００２４】
前記凹部２は、本実施形態では図４（ａ）〜（ｃ）に示すように、ヘルメット１の前面の両側面寄りの部分に二箇所ずつ、縦二列に配列されて、ヘルメットの内側部分がヘルメットの前方から後方に向かって浅く窪み、外側部分が前方から後方に向かって深く窪んだ略三角形に形成されている。本実施形態の凹部２は、ヘルメット１の前面から見て横長の矩形の窪みが縦二列に配列されて形成されたように見えるようにしてある。凹部２の位置や、数や、形状等は、図に示すものには限られず、任意の位置や、数や、形状等とすることができる。また、同図に示すように、各凹部２の外側面５には、通気孔４が開口されている。
【００２５】
前記通気孔４は、本実施形態では図４（ａ）〜（ｃ）に示すように、各凹部２内の外側面５に略矩形に開口された孔である。前記実施形態１同様、通気孔４は、図に示す位置に限らず、凹部２内の側面に開口するのであれば、任意の面に開口することができる。側面に開口することとしたのは、保護帽検定における通気孔の指針に従い、ヘルメット１の前面をヘルメットの前後方向に貫通させないためである。従って、本発明の通気孔付きヘルメットは、通気孔４から、ヘルメット１の前頭部、頭頂部、側頭部を中心とした範囲に空気を取入れることができる。また、前記通気孔４の形状は、図に示すような略矩形には限られず、任意の形状とすることができる。
【００２６】
また、前記実施形態１と同様に、本発明の通気孔付きヘルメットは、図３に示すように、ヘルメット１の前面以外の側面部分等にも、通気孔６を備えることができる。従って、前記通気孔４から取入れた空気を、該通気孔６から排気することも可能となり、ヘルメット内部の空気の循環効率が向上する。
【００２７】
また、前記実施形態１と同様に、前記通気孔４（６）は、通気孔４（６）が円形の場合はその直径が６ｍｍ以下、通気孔４（６）が角形の場合にはその面積が３０ｍｍ2以下で、一側面寄りの通気孔の合計面積が２２５ｍｍ2以下で、且つ両側面寄りの合計面積が４５０ｍｍ2以下となる範囲内で設けられている。
【００２８】
（その他の実施形態）
その他、本発明の通気孔付きヘルメットは、前記各実施形態と同様に形成した各凹部の内側面と外側面の両面に通気孔を形成することも可能である。その場合は、本発明の通気孔付きヘルメットは、ヘルメット内の前頭部、頭頂部、側頭部を中心とした範囲に十分に空気を取り入れることができる。
【産業上の利用可能性】
【００２９】
本発明のヘルメットは、例えば建築工事や電気工事等の各種工事や造林作業や採石作業等の各種作業等の用途に用いられる作業用ヘルメットの他、キャディ帽や、学童帽等の作業用ヘルメット以外のヘルメットにも応用することができる。
【図面の簡単な説明】
【００３０】
【図１】本発明の通気孔付きヘルメットの実施形態の一例を示す斜視図。
【図２】（ａ）は、図１に示す通気孔付きヘルメットの前面部分を示す斜視図。（ｂ）は、（ａ）に示す通気孔付きヘルメットの前面部分のＡ―Ａ部における断面図。（ｃ）は、（ａ）に示す通気孔付きヘルメットの前面部分のＢ―Ｂ部における断面図。
【図３】本発明の通気孔付きヘルメットの実施形態の他の一例を示す斜視図。
【図４】（ａ）は、図３に示す通気孔付きヘルメットの前面部分を示す斜視図。（ｂ）は、（ａ）に示す通気孔付きヘルメットの前面部分のＡ―Ａ部における断面図。（ｃ）は、（ａ）に示す通気孔付きヘルメットの前面部分のＢ―Ｂ部における断面図。
【図５】従来の従来の通気孔付きヘルメットの実施形態の他の例を示す斜視図。
【図６】（ａ）は、従来の通気孔付きヘルメットの実施形態の一例を示す分解斜視図。（ｂ）は、（ａ）に示す通気孔付きヘルメットの帽体カバー部材の背面斜視図。
【図７】（ａ）は、従来の通気孔付きヘルメットの実施形態を示す正面図。（ｂ）は、（ａ）に示すヘルメットの側面図。（ｃ）は、（ａ）に示すヘルメットの背面図。
【符号の説明】
【００３１】
１  ヘルメット
２  凹部
３  凹部内の内側面
４  通気孔
５  凹部内の外側面
６  通気孔（ヘルメット側部等）
【図１】
2005248364.tif 000003
【図２】
2005248364.tif 000004
【図３】
2005248364.tif 000005
【図４】
2005248364.tif 000006
【図５】
2005248364.tif 000007
【図６】
2005248364.tif 000008
【図７】
2005248364.tif 000009